(57)【要約】【課題】  途絶えることのない安定したインターネット通信を可能としたモバイル端末機、モバイル端末機を用いた通信システム、及び、これらの通信方法を提供する。【解決手段】  携帯電話、ＰＨＳ、ＰＨＳカード等の通信デバイスを複数装着し、これらを使用して複数の通信回線を利用して、仮想的に通信回線容量を増やしてインターネット通信を行うために、複数の通信デバイスを用いてインターネット接続を実行するダイヤルアップ回線制御部をモバイル端末機に設ける。【選択図】  図１
2005295087.tif 000002
【特許請求の範囲】
【請求項１】
複数の通信回線を利用してインターネット通信をするために、携帯電話、ＰＨＳ、ＰＨＳカード等の通信デバイスを複数装着し、これらを使用してインターネット接続をするダイヤルアップ回線制御部を備えたことを特徴とするモバイル端末機。
【請求項２】
ユーザが前記モバイル端末機に設けられているＫＥＹ操作部により入力したインターネット通信に必要な情報の登録を行う情報登録部と、
前記情報登録部により、前記インターネット通信に必要な情報が登録され、該情報を管理する接続設定情報管理部と、
前記複数の通信デバイスの通信状況を監視する通信デバイス制御監視部と、
前記通信デバイス制御監視部による前記複数の通信デバイスの通信状況監視結果と前記接続設定情報管理部が管理する前記インターネット通信に必要な情報とを基に、通信回線が切断されている通信デバイスに関するインターネットへの再接続の優先順位を判断する負荷分散制御部と、
前記モバイル端末機が備えるＨＤＤに格納されている前記各通信デバイスのドライバファイルに対して、インターネットに接続するように接続命令をする接続命令部と、
を有する前記ダイヤルアップ回線制御部を備えたモバイル端末機であって、
前記通信デバイス制御監視部が、前記複数の通信デバイスの通信状況を監視した結果、いずれかの通信デバイスの通信回線が切断されていることを確認した場合に、前記負荷分散制御部に対して、該通信回線が切断されている通信デバイスに関するインターネットへの再接続の優先順位の判断を要求し、要求された負荷分散制御部は、該判断をした結果を、該通信デバイス監視制御部へ回答し、該回答を受け取った前記通信デバイス制御監視部は、該回答に従って、インターネットへの接続をするように接続命令を前記接続命令部に送信し、該接続命令の送信を受けた接続命令部は、該接続命令に従って、前記各通信デバイスのドライバファイルに対して、インターネットに接続するように接続命令をし、該接続命令を受けた該各通信デバイスのドライバファイルは、該接続命令に従ってインターネットに接続することを特徴とする請求項１記載のモバイル端末機。
【請求項３】
前記負荷分散制御部は、ユーザが前記ＫＥＹ操作部を用いて入力した、インターネットへの再接続の自動実行が設定されている通信デバイスの情報を、前記接続設定情報管理部を通じて取得し、該情報と、通信デバイス制御監視部から送信された各通信デバイスの通信状況に関する情報とを基に、インターネットへの再接続の自動実行が設定されている通信デバイスであって、インターネットに接続されていない通信デバイスがあるか否かを判断し、このような通信デバイスがある場合には、負荷分散制御部は、ユーザが前記ＫＥＹ操作部を用いて入力した、インターネットへの接続の優先順位が設定されている通信デバイスの情報を、前記接続設定情報管理部を通じて取得し、該情報と、通信デバイス制御監視部から送信された通信状況に関する情報とから、インターネットへの接続優先順位が設定されている通信デバイスであって、インターネットに接続されていない通信デバイスがあるか否かを判断し、このような通信デバイスがあった場合は、設定された接続優先順位の情報に基づいて、インターネットへの接続優先順位を決定し、このような通信デバイスがなかった場合には、負荷分散制御部は、ユーザが前記ＫＥＹ操作部を用いて入力した、最高通信速度の情報を有している通信デバイスの情報を、前記接続設定情報管理部を通じて取得し、該情報と、通信デバイス制御監視部から送信された通信状況に関する情報とから、最高通信速度情報を有している通信デバイスであって、インターネット接続されていない通信デバイスがあるか否かを判断し、このような通信デバイスがあった場合は、最高通信速度の速い通信デバイスの順に、接続優先順位を決定し、このような通信デバイスがない場合には、負荷分散制御部は、通信デバイス制御監視部から送信された通信状況に関する情報から、実際の通信速度が速い、インターネット未接続通信デバイスから接続優先順位を決定することを特徴とする請求項２記載のモバイル端末機。
【請求項４】
複数の通信回線を利用してインターネット通信をするための、携帯電話、ＰＨＳ、ＰＨＳカード等の複数の通信デバイスと、
前記複数の通信デバイスを装着し、これらを使用してインターネット接続をするダイヤルアップ回線制御部を備えたモバイル端末機と、
を備えたことを特徴とするモバイル端末機を用いた通信システム。
【請求項５】
前記モバイル端末機は、ユーザが前記モバイル端末機に設けられているＫＥＹ操作部により入力したインターネット通信に必要な情報の登録を行う情報登録部と、
前記情報登録部により、前記インターネット通信に必要な情報が登録され、該情報を管理する接続設定情報管理部と、
前記複数の通信デバイスの通信状況を監視する通信デバイス制御監視部と、
前記通信デバイス制御監視部による前記複数の通信デバイスの通信状況監視結果と前記接続設定情報管理部が管理する前記インターネット通信に必要な情報とを基に、通信回線が切断されている通信デバイスに関するインターネットへの再接続の優先順位を判断する負荷分散制御部と、
前記モバイル端末機が備えるＨＤＤに格納されている前記各通信デバイスのドライバファイルに対して、インターネットに接続するように接続命令をする接続命令部と、
を有する前記ダイヤルアップ回線制御部を備えたモバイル端末機を用いた通信システムであって、
前記通信デバイス制御監視部が、前記複数の通信デバイスの通信状況を監視した結果、いずれかの通信デバイスの通信回線が切断されていることを確認した場合に、前記負荷分散制御部に対して、該通信回線が切断されている通信デバイスに関するインターネットへの再接続の優先順位の判断を要求し、要求された負荷分散制御部は、該判断をした結果を、該通信デバイス監視制御部へ回答し、該回答を受け取った前記通信デバイス制御監視部は、該回答に従って、インターネットへの接続をするように接続命令を前記接続命令部に送信し、該接続命令の送信を受けた接続命令部は、該接続命令に従って、前記各通信デバイスのドライバファイルに対して、インターネットに接続するように接続命令をし、該接続命令を受けた該各通信デバイスのドライバファイルは、該接続命令に従ってインターネットに接続することを特徴とする請求項４記載のモバイル端末機を用いた通信システム。
【請求項６】
前記負荷分散制御部は、ユーザが前記ＫＥＹ操作部を用いて入力した、インターネットへの再接続の自動実行が設定されている通信デバイスの情報を、前記接続設定情報管理部を通じて取得し、該情報と、通信デバイス制御監視部から送信された各通信デバイスの通信状況に関する情報とを基に、インターネットへの再接続の自動実行が設定されている通信デバイスであって、インターネットに接続されていない通信デバイスがあるか否かを判断し、このような通信デバイスがある場合には、負荷分散制御部は、ユーザが前記ＫＥＹ操作部を用いて入力した、インターネットへの接続の優先順位が設定されている通信デバイスの情報を、前記接続設定情報管理部を通じて取得し、該情報と、通信デバイス制御監視部から送信された通信状況に関する情報とから、インターネットへの接続優先順位が設定されている通信デバイスであって、インターネットに接続されていない通信デバイスがあるか否かを判断し、このような通信デバイスがあった場合は、設定された接続優先順位の情報に基づいて、インターネットへの接続優先順位を決定し、このような通信デバイスがなかった場合には、負荷分散制御部は、ユーザが前記ＫＥＹ操作部を用いて入力した、最高通信速度の情報を有している通信デバイスの情報を、前記接続設定情報管理部を通じて取得し、該情報と、通信デバイス制御監視部から送信された通信状況に関する情報とから、最高通信速度情報を有している通信デバイスであって、インターネット接続されていない通信デバイスがあるか否かを判断し、このような通信デバイスがあった場合は、最高通信速度の速い通信デバイスの順に、接続優先順位を決定し、このような通信デバイスがない場合には、負荷分散制御部は、通信デバイス制御監視部から送信された通信状況に関する情報から、実際の通信速度が速い、インターネット未接続通信デバイスから接続優先順位を決定することを特徴とする請求項５記載のモバイル端末機を用いた通信システム。
【請求項７】
携帯電話、ＰＨＳ、ＰＨＳカード等の複数の通信デバイスをモバイル端末機に装着し、該複数の通信デバイスを使用して、複数の通信回線を利用したインターネット通信をすることを特徴とするモバイル端末機又はモバイル端末機を用いた通信システムの通信方法。
【請求項８】
ユーザが前記モバイル端末機に設けられているＫＥＹ操作部により入力したインターネット通信に必要な情報の登録を行う情報登録工程と、
前記情報登録工程により、登録された情報を管理する接続設定情報管理工程と、
前記複数の通信デバイスの通信状況を監視する通信デバイス制御監視工程と、
前記通信デバイス制御監視工程による前記複数の通信デバイスの通信状況監視結果と前記接続設定情報管理工程により管理されている前記インターネット通信に必要な情報とを基に、通信回線が切断されている通信デバイスに関するインターネットへの再接続の優先順位を判断する接続優先順位決定工程と、
前記モバイル端末機が備えるＨＤＤに格納されている前記各通信デバイスのドライバファイルに対して、インターネットに接続するように接続命令をする接続命令工程と、
を備えたモバイル端末機又はモバイル端末機を用いた通信システムの通信方法であって、
前記通信デバイス制御監視工程において前記複数の通信デバイスの通信状況を監視した結果、いずれかの通信デバイスの通信回線が切断されていることを確認した場合に、前記モバイル端末機に設けられた負荷分散制御部に対して、該通信回線が切断されている通信デバイスに関するインターネットへの再接続の優先順位の判断を要求しし、要求された負荷分散制御部が、該判断をした結果を、前記モバイル端末機に設けられた通信デバイス監視制御部へ回答し、該回答を受け取った前記通信デバイス制御監視部は、該回答に従って、インターネットへの接続をするように接続命令を、前記モバイル端末機に設けられた接続命令部に送信し、該接続命令の送信を受けた接続命令部は、該接続命令に従って、前記各通信デバイスのドライバファイルに対して、インターネットに接続するように接続命令をし、該接続命令を受けた該各通信デバイスのドライバファイルは、該接続命令に従ってインターネットに接続することを特徴とする請求項７記載のモバイル端末機又はモバイル端末機を用いた通信システムの通信方法。
【請求項９】
前記負荷分散制御部が、ユーザが前記ＫＥＹ操作部を用いて入力した、インターネットへの再接続の自動実行が設定されている通信デバイスの情報を、前記接続設定情報管理部を通じて取得し、該情報と、通信デバイス制御監視部から送信された各通信デバイスの通信状況に関する情報とを基に、インターネットへの再接続の自動実行が設定されている通信デバイスであって、インターネットに接続されていない通信デバイスがあるか否かを判断し、このような通信デバイスがある場合には、負荷分散制御部は、ユーザが前記ＫＥＹ操作部を用いて入力した、インターネットへの接続の優先順位が設定されている通信デバイスの情報を、前記接続設定情報管理部を通じて取得し、該情報と、通信デバイス制御監視部から送信された通信状況に関する情報とから、インターネットへの接続優先順位が設定されている通信デバイスであって、インターネットに接続されていない通信デバイスがあるか否かを判断する工程と、
前記インターネットへの接続優先順位が設定されている通信デバイスであって、インターネットに接続されていない通信デバイスがあるか否かを判断する工程において、このような通信デバイスがあった場合は、設定された接続優先順位の情報に基づいて、インターネットへの接続優先順位を決定する工程と、
前記インターネットへの接続優先順位が設定されている通信デバイスであって、インターネットに接続されていない通信デバイスがあるか否かを判断する工程において、
このような通信デバイスがなかった場合には、負荷分散制御部は、ユーザが前記ＫＥＹ操作部を用いて入力した、最高通信速度の情報を有している通信デバイスの情報を、前記接続設定情報管理部を通じて取得し、該情報と、通信デバイス制御監視部から送信された通信状況に関する情報とから、最高通信速度情報を有している通信デバイスであって、インターネット接続されていない通信デバイスがあるか否かを判断する工程と、
前記最高通信速度情報を有している通信デバイスであって、インターネット接続されていない通信デバイスがあるか否かを判断する工程において、このような通信デバイスがあった場合は、最高通信速度の速い通信デバイスの順に、接続優先順位を決定する工程と、
前記最高通信速度情報を有している通信デバイスであって、インターネット接続されていない通信デバイスがあるか否かを判断する工程において、このような通信デバイスがない場合には、負荷分散制御部は、通信デバイス制御監視部から送信された通信状況に関する情報から、実際の通信速度が速い、インターネット未接続通信デバイスから接続優先順位を決定する工程とを備えたことを特徴とする請求項８記載のモバイル端末機又はモバイル端末機を用いた通信システムの通信方法。
【発明の詳細な説明】
【技術分野】
【０００１】
本発明は、複数の携帯電話やＰＨＳ等を用いたモバイル端末機、モバイル端末機を用いた通信システム及びこれらの通信方法に関する。
【背景技術】
【０００２】
インターネット上の必要なコンテンツをモバイル端末機を用いて閲覧するためには、モバイル端末機に携帯電話機、ＰＨＳ、又は、ＰＨＳカード等の通信デバイスを接続し、インターネットプロバイダのコンピュータへダイヤルアップ接続を行い、モバイル端末機をインターネットに接続する。最近では、ホームページの一般化やマルチ目ディアの多様化に伴って、多量のコンテンツを盛り込んだホームページも数多く見られるようになってきた。そのため、これらのホームページをモバイル端末機を用いて閲覧するためには、従来より多くの通信回線容量が必要となってきている。
【０００３】
インターネット上の必要なコンテンツをモバイル端末機を用いて閲覧するために、モバイル端末機に携帯電話機、ＰＨＳ、又は、ＰＨＳカード等の通信デバイスを接続する代わりに有線回線を用いる場合があるが、上述の必要な回線容量の大容量化の問題に対しては、ＩＳＤＮやＡＤＳＬといった、通信効率を格段に向上する技術で対応している。しかしながら、モバイル端末機に携帯電話機等を接続し、無線回線によってインターネット上のコンテンツを閲覧する場合には、上述の必要な回線容量の大容量化の問題に対応する有効な技術はなかった。
【０００４】
ところで、無線通信ＬＡＮの分野では、複数の回線を有効利用する技術がある。例えば、Ｉｎｔｅｌ社の「ＰＲＯＳｅｔ」には、複数ネットワークインターフェースカード（ＮＩＣ）の機能として、ＡＬＢ（Ａｄａｐｔ  ｉｖｅ  Ｌｏａｄ  Ｂａｌａｎｃｉｎｇ）、フォールトトレランス、リンク・アグリゲーションなどがある。ＡＬＢは、複数のＮＩＣを制御し、負荷を均等に配分することを可能とする機能である。フォールトトレランスは、２枚目のＮＩＣによって、１枚目のＮＩＣのＬＡＮケーブルや、接続先ポートが故障した際に機能を引き継ぐことを可能とする機能である。リンク・アグリゲーションは、同じチャネルに対して複数のＮＩＣを束ねることにより、複数の送信先に対する帯域幅を倍増することを可能とする機能である。
【０００５】
また、携帯電話機の性能を向上させるために、特許文献１には、１台の携帯電話機が複数の電話番号を持つことを可能とした技術が開示されている。特許文献２では、複数の電話番号を有する携帯電話機において、切り替えた電話番号の通話制限を考慮し、各電話番号において適切な使用を可能とする技術が開示されている。また、一台で複数台分の機能を有する携帯電話機やＰＨＳに関する技術は、既に公知の技術として知られている。
【特許文献１】特開２００２−１９９１００号公報
【特許文献２】特開平８−１６７９３６号公報
【発明の開示】
【発明が解決しようとする課題】
【０００６】
ところで、上述した携帯電話やＰＨＳ等の無線回線を用いてモバイル端末機をインターネット接続する場合には、以下に示す問題があるため、インターネット上のコンテンツを閲覧することが困難となりつつある。第１の問題として、目的コンテンツを掲載したホームページの読み取り中に無線回線が切断すると、無線回線を一回線のみしか使用していないため、当該ホームページの再読み込みを行わなければいけないという問題がある。第２の問題として、携帯電話やＰＨＳ等によるダイヤルアップ接続は回線速度が遅いため、容量が大きいデータの送受信を行うと、電波の状況により通信が中断する可能性が高くなるという問題がある。
【０００７】
従って、本発明は上記のような問題点に鑑み、インターネット通信をするために必要な通信デバイスとして、携帯電話、ＰＨＳ、ＰＨＳカード等をモバイル端末機に複数装着し、インターネットに複数回線を利用して接続することにより、仮想的に回線容量を増やし、データの送受信にかかる時間を短縮することで、通信が途絶えることのない安定したインターネット通信を実現可能としたモバイル端末機、モバイル端末機を用いた通信システム、及び、これらの通信方法を提供することを目的とする。
【課題を解決するための手段】
【０００８】
請求項１記載の発明は、複数の通信回線を利用してインターネット通信をするために、携帯電話、ＰＨＳ、ＰＨＳカード等の通信デバイスを複数装着し、これらを使用してインターネット接続をするダイヤルアップ回線制御部を備えたモバイル端末機としたことを特徴とする。
【０００９】
請求項２記載の発明は、ユーザが前記モバイル端末機に設けられているＫＥＹ操作部により入力したインターネット通信に必要な情報の登録を行う情報登録部と、前記情報登録部により、前記インターネット通信に必要な情報が登録され、該情報を管理する接続設定情報管理部と、前記複数の通信デバイスの通信状況を監視する通信デバイス制御監視部と、前記通信デバイス制御監視部による前記複数の通信デバイスの通信状況監視結果と前記接続設定情報管理部が管理する前記インターネット通信に必要な情報とを基に、通信回線が切断されている通信デバイスに関するインターネットへの再接続の優先順位を判断する負荷分散制御部と、前記モバイル端末機が備えるＨＤＤに格納されている前記各通信デバイスのドライバファイルに対して、インターネットに接続するように接続命令をする接続命令部とを有する前記ダイヤルアップ回線制御部を備えたモバイル端末機であって、前記通信デバイス制御監視部が、前記複数の通信デバイスの通信状況を監視した結果、いずれかの通信デバイスの通信回線が切断されていることを確認した場合に、前記負荷分散制御部に対して、該通信回線が切断されている通信デバイスに関するインターネットへの再接続の優先順位の判断を要求し、要求された負荷分散制御部は、該判断をした結果を、該通信デバイス監視制御部へ回答し、該回答を受け取った前記通信デバイス制御監視部は、該回答に従って、インターネットへの接続をするように接続命令を前記接続命令部に送信し、該接続命令の送信を受けた接続命令部は、該接続命令に従って、前記各通信デバイスのドライバファイルに対して、インターネットに接続するように接続命令をし、該接続命令を受けた該各通信デバイスのドライバファイルは、該接続命令に従ってインターネットに接続する請求項１記載のモバイル端末機としたことを特徴とする。
【００１０】
請求項３記載の発明は、前記負荷分散制御部は、ユーザが前記ＫＥＹ操作部を用いて入力した、インターネットへの再接続の自動実行が設定されている通信デバイスの情報を、前記接続設定情報管理部を通じて取得し、該情報と、通信デバイス制御監視部から送信された各通信デバイスの通信状況に関する情報とを基に、インターネットへの再接続の自動実行が設定されている通信デバイスであって、インターネットに接続されていない通信デバイスがあるか否かを判断し、このような通信デバイスがある場合には、負荷分散制御部は、ユーザが前記ＫＥＹ操作部を用いて入力した、インターネットへの接続の優先順位が設定されている通信デバイスの情報を、前記接続設定情報管理部を通じて取得し、該情報と、通信デバイス制御監視部から送信された通信状況に関する情報とから、インターネットへの接続優先順位が設定されている通信デバイスであって、インターネットに接続されていない通信デバイスがあるか否かを判断し、このような通信デバイスがあった場合は、設定された接続優先順位の情報に基づいて、インターネットへの接続優先順位を決定し、このような通信デバイスがなかった場合には、負荷分散制御部は、ユーザが前記ＫＥＹ操作部を用いて入力した、最高通信速度の情報を有している通信デバイスの情報を、前記接続設定情報管理部を通じて取得し、該情報と、通信デバイス制御監視部から送信された通信状況に関する情報とから、最高通信速度情報を有している通信デバイスであって、インターネット接続されていない通信デバイスがあるか否かを判断し、このような通信デバイスがあった場合は、最高通信速度の速い通信デバイスの順に、接続優先順位を決定し、このような通信デバイスがない場合には、負荷分散制御部は、通信デバイス制御監視部から送信された通信状況に関する情報から、実際の通信速度が速い、インターネット未接続通信デバイスから接続優先順位を決定する請求項２記載のモバイル端末機としたことを特徴とする。
【００１１】
請求項４記載の発明は、複数の通信回線を利用してインターネット通信をするための、携帯電話、ＰＨＳ、ＰＨＳカード等の複数の通信デバイスと、前記複数の通信デバイスを装着し、これらを使用してインターネット接続をするダイヤルアップ回線制御部を備えたモバイル端末機とを備えたモバイル端末機を用いた通信システムとしたことを特徴とする。
【００１２】
請求項５記載の発明は、前記モバイル端末機は、ユーザが前記モバイル端末機に設けられているＫＥＹ操作部により入力したインターネット通信に必要な情報の登録を行う情報登録部と、前記情報登録部により、前記インターネット通信に必要な情報が登録され、該情報を管理する接続設定情報管理部と、前記複数の通信デバイスの通信状況を監視する通信デバイス制御監視部と、前記通信デバイス制御監視部による前記複数の通信デバイスの通信状況監視結果と前記接続設定情報管理部が管理する前記インターネット通信に必要な情報とを基に、通信回線が切断されている通信デバイスに関するインターネットへの再接続の優先順位を判断する負荷分散制御部と、前記モバイル端末機が備えるＨＤＤに格納されている前記各通信デバイスのドライバファイルに対して、インターネットに接続するように接続命令をする接続命令部とを有する前記ダイヤルアップ回線制御部を備えたモバイル端末機を用いた通信システムであって、前記通信デバイス制御監視部が、前記複数の通信デバイスの通信状況を監視した結果、いずれかの通信デバイスの通信回線が切断されていることを確認した場合に、前記負荷分散制御部に対して、該通信回線が切断されている通信デバイスに関するインターネットへの再接続の優先順位の判断を要求し、要求された負荷分散制御部は、該判断をした結果を、該通信デバイス監視制御部へ回答し、該回答を受け取った前記通信デバイス制御監視部は、該回答に従って、インターネットへの接続をするように接続命令を前記接続命令部に送信し、該接続命令の送信を受けた接続命令部は、該接続命令に従って、前記各通信デバイスのドライバファイルに対して、インターネットに接続するように接続命令をし、該接続命令を受けた該各通信デバイスのドライバファイルは、該接続命令に従ってインターネットに接続する請求項４記載のモバイル端末機を用いた通信システムとしたことを特徴とする。
【００１３】
請求項６記載の発明は、前記負荷分散制御部は、ユーザが前記ＫＥＹ操作部を用いて入力した、インターネットへの再接続の自動実行が設定されている通信デバイスの情報を、前記接続設定情報管理部を通じて取得し、該情報と、通信デバイス制御監視部から送信された各通信デバイスの通信状況に関する情報とを基に、インターネットへの再接続の自動実行が設定されている通信デバイスであって、インターネットに接続されていない通信デバイスがあるか否かを判断し、このような通信デバイスがある場合には、負荷分散制御部は、ユーザが前記ＫＥＹ操作部を用いて入力した、インターネットへの接続の優先順位が設定されている通信デバイスの情報を、前記接続設定情報管理部を通じて取得し、該情報と、通信デバイス制御監視部から送信された通信状況に関する情報とから、インターネットへの接続優先順位が設定されている通信デバイスであって、インターネットに接続されていない通信デバイスがあるか否かを判断し、このような通信デバイスがあった場合は、設定された接続優先順位の情報に基づいて、インターネットへの接続優先順位を決定し、このような通信デバイスがなかった場合には、負荷分散制御部は、ユーザが前記ＫＥＹ操作部を用いて入力した、最高通信速度の情報を有している通信デバイスの情報を、前記接続設定情報管理部を通じて取得し、該情報と、通信デバイス制御監視部から送信された通信状況に関する情報とから、最高通信速度情報を有している通信デバイスであって、インターネット接続されていない通信デバイスがあるか否かを判断し、このような通信デバイスがあった場合は、最高通信速度の速い通信デバイスの順に、接続優先順位を決定し、このような通信デバイスがない場合には、負荷分散制御部は、通信デバイス制御監視部から送信された通信状況に関する情報から、実際の通信速度が速い、インターネット未接続通信デバイスから接続優先順位を決定する請求項５記載のモバイル端末機を用いた通信システムとしたことを特徴とする。
【００１４】
請求項７記載の発明は、携帯電話、ＰＨＳ、ＰＨＳカード等の複数の通信デバイスをモバイル端末機に装着し、該複数の通信デバイスを使用して、複数の通信回線を利用したインターネット通信をするモバイル端末機又はモバイル端末機を用いた通信システムの通信方法としたことを特徴とする。
【００１５】
請求項８記載の発明は、ユーザが前記モバイル端末機に設けられているＫＥＹ操作部により入力したインターネット通信に必要な情報の登録を行う情報登録工程と、前記情報登録工程により、登録された情報を管理する接続設定情報管理工程と、前記複数の通信デバイスの通信状況を監視する通信デバイス制御監視工程と、前記通信デバイス制御監視工程による前記複数の通信デバイスの通信状況監視結果と前記接続設定情報管理工程により管理されている前記インターネット通信に必要な情報とを基に、通信回線が切断されている通信デバイスに関するインターネットへの再接続の優先順位を判断する接続優先順位決定工程と、前記モバイル端末機が備えるＨＤＤに格納されている前記各通信デバイスのドライバファイルに対して、インターネットに接続するように接続命令をする接続命令工程とを備えたモバイル端末機又はモバイル端末機を用いた通信システムの通信方法であって、前記通信デバイス制御監視工程において前記複数の通信デバイスの通信状況を監視した結果、いずれかの通信デバイスの通信回線が切断されていることを確認した場合に、前記モバイル端末機に設けられた負荷分散制御部に対して、該通信回線が切断されている通信デバイスに関するインターネットへの再接続の優先順位の判断を要求しし、要求された負荷分散制御部が、該判断をした結果を、前記モバイル端末機に設けられた通信デバイス監視制御部へ回答し、該回答を受け取った前記通信デバイス制御監視部は、該回答に従って、インターネットへの接続をするように接続命令を、前記モバイル端末機に設けられた接続命令部に送信し、該接続命令の送信を受けた接続命令部は、該接続命令に従って、前記各通信デバイスのドライバファイルに対して、インターネットに接続するように接続命令をし、該接続命令を受けた該各通信デバイスのドライバファイルは、該接続命令に従ってインターネットに接続する請求項７記載のモバイル端末機又はモバイル端末機を用いた通信システムの通信方法としたことを特徴とする。
【００１６】
請求項９記載の発明は、前記負荷分散制御部が、ユーザが前記ＫＥＹ操作部を用いて入力した、インターネットへの再接続の自動実行が設定されている通信デバイスの情報を、前記接続設定情報管理部を通じて取得し、該情報と、通信デバイス制御監視部から送信された各通信デバイスの通信状況に関する情報とを基に、インターネットへの再接続の自動実行が設定されている通信デバイスであって、インターネットに接続されていない通信デバイスがあるか否かを判断し、このような通信デバイスがある場合には、負荷分散制御部は、ユーザが前記ＫＥＹ操作部を用いて入力した、インターネットへの接続の優先順位が設定されている通信デバイスの情報を、前記接続設定情報管理部を通じて取得し、該情報と、通信デバイス制御監視部から送信された通信状況に関する情報とから、インターネットへの接続優先順位が設定されている通信デバイスであって、インターネットに接続されていない通信デバイスがあるか否かを判断する工程と、前記インターネットへの接続優先順位が設定されている通信デバイスであって、インターネットに接続されていない通信デバイスがあるか否かを判断する工程において、このような通信デバイスがあった場合は、設定された接続優先順位の情報に基づいて、インターネットへの接続優先順位を決定する工程と、前記インターネットへの接続優先順位が設定されている通信デバイスであって、インターネットに接続されていない通信デバイスがあるか否かを判断する工程において、このような通信デバイスがなかった場合には、負荷分散制御部は、ユーザが前記ＫＥＹ操作部を用いて入力した、最高通信速度の情報を有している通信デバイスの情報を、前記接続設定情報管理部を通じて取得し、該情報と、通信デバイス制御監視部から送信された通信状況に関する情報とから、最高通信速度情報を有している通信デバイスであって、インターネット接続されていない通信デバイスがあるか否かを判断する工程と、前記最高通信速度情報を有している通信デバイスであって、インターネット接続されていない通信デバイスがあるか否かを判断する工程において、このような通信デバイスがあった場合は、最高通信速度の速い通信デバイスの順に、接続優先順位を決定する工程と、前記最高通信速度情報を有している通信デバイスであって、インターネット接続されていない通信デバイスがあるか否かを判断する工程において、このような通信デバイスがない場合には、負荷分散制御部は、通信デバイス制御監視部から送信された通信状況に関する情報から、実際の通信速度が速い、インターネット未接続通信デバイスから接続優先順位を決定する工程とを備えた請求項８記載のモバイル端末機又はモバイル端末機を用いた通信システムの通信方法としたことを特徴とする。
【発明の効果】
【００１７】
本発明によれば、インターネット通信をするために必要な通信デバイスとして、携帯電話機、ＰＨＳ、ＰＨＳカード等をモバイル端末機に複数装着し、インターネットに複数回線を利用して接続することで、仮想的に回線容量を増やし、データの送受信にかかる時間を短縮することで、通信が途絶えることのない安定したインターネット通信を実現することができる。
【発明を実施するための最良の形態】
【００１８】
複数の通信回線を利用してインターネット通信をするために、携帯電話、ＰＨＳ、ＰＨＳカード等の通信デバイスを複数装着し、これらを使用してインターネット接続をするダイヤルアップ回線制御部をモバイル端末機に設ける。
【実施例】
【００１９】
本発明の一実施形態におけるモバイル端末機の概略構成及び各部の機能についてを図１を用いて以下に説明する。図１は、本発明の一実施形態におけるモバイル端末機の概略構成図である。図１に示すように、本実施例のモバイル端末機は、携帯電話１（１台）、ＰＨＳ２（１台）、ＰＨＳカード３（１枚）の各通信デバイスが装着されており、通信デバイス制御監視部４、負荷分散制御部５、接続命令部６、情報登録部７、接続設定情報管理部８とを備えたダイヤルアップ回線制御部９、ＲＡＭ１０、ＣＰＵ１１、ＨＤＤ１２、画面表示部１３、ＫＥＹ操作部１４とを備えている。
【００２０】
ＲＡＭ１０は、ダイヤルアップ回線制御部９を制御するためのプログラムや携帯電話１、ＰＨＳ２、ＰＨＳカード３等の通信デバイスのドライバファイルをＨＤＤから読み込み一時的に記憶する。ＣＰＵ１１は、モバイル端末機１５に設けられている端末機内の各部の制御を行なう。ＨＤＤ１２は、携帯電話１、ＰＨＳ２、ＰＨＳカード３等の通信デバイスのドライバファイルやダイヤルアップ回線制御部９を制御するためのプログラム等を記録している。画面表示部１３は、ユーザがダイヤルアップ回線制御部９に対してインターネット通信に必要な情報を設定するための設定画面の表示、又は、ユーザが通信状況に関する情報について閲覧するための画面表示を行う。ＫＥＹ操作部１４は、ユーザがモバイル端末機を使用するために必要な命令やインターネット通信に必要な情報をＫＥＹ入力するために用いる。
【００２１】
また、ダイヤルアップ回線制御部９は、モバイル端末機１５に装着された携帯電話１、ＰＨＳ２、ＰＨＳカード３等の各通信デバイスを制御し、各通信デバイスの無線回線を複数利用して、安定したインターネットへの接続を維持するように制御をする。
また、ダイヤルアップ回線制御部９に設けられた情報登録部７は、ユーザがＫＥＹ操作部１４から入力したインターネットと接続するために必要な情報を、接続設定情報管理部８に登録する。ダイヤルアップ回線制御部９に設けられた接続設定情報管理部８は、各通信デバイスを用いて、モバイル端末機１５をインターネットに接続するために必要な情報を登録及び管理する。
【００２２】
このモバイル端末機１５をインターネットに接続するために必要な情報は、接続先（プロバイダ）電話番号、プロバイダに登録されているユーザ名、パスワード、再接続の自動実行の有無、接続時の既定ＵＲＬ、通信デバイスの最高通信速度、各通信デバイスの優先接続順位等である。
【００２３】
また、ダイヤルアップ回線制御部９に設けられた通信デバイス制御監視部４は、各通信デバイス（本実施例では、携帯電話１、ＰＨＳ２、ＰＨＳカード３）の通信状況と通信速度を、負荷分散制御部５に逐次送信する。また、通信デバイス制御監視部４は、通信デバイスのインターネット接続の途絶を確認すると、負荷分散制御部５へ再接続のための通信デバイスの接続優先順位の判断を要求し、その結果を受け取って、接続命令部６に対して、優先順位の高い通信デバイス順に、インターネット接続をするよう接続命令をする。
【００２４】
ダイヤルアップ回線制御部９に設けられた負荷分散制御部５は、モバイル端末機１５が通信中に通信デバイス制御監視部４から送信される通信デバイスの通信状況（接続状態、通信速度等）に関する情報と、ユーザのＫＥＹ操作部１４からの入力により、接続設定情報管理部８に登録されているインターネット接続に必要とされる情報（再接続の自動実行の有無、通信デバイスの最高通信速度、各通信デバイスの優先接続順位等）とを考慮して、接続すべき通信デバイスの優先順位を決定した結果を、通信デバイス制御監視部４に命令する。ダイヤルアップ回線制御部９に設けられた接続命令部６は、通信デバイス制御監視部４からの接続命令に従って、各通信デバイスのドライバファイルに対してダイヤルアップ接続をするように接続命令を送信する。
【００２５】
次に、本実施例のモバイル端末機１５の通信動作について図１、図２、図３を用いて以下に具体的に説明する。図１は、本発明の一実施形態のモバイル端末機の概略構成図である。図２は、本発明の一実施形態のモバイル端末機の通信動作についてのフローチャートである。図３は、本発明の一実施形態のモバイル端末機における、インターネットと未接続の通信デバイスを対象として、通信デバイスの接続優先順位を判断する方法を説明するためのフローチャートである。
【００２６】
まず、モバイル端末機１５を用いて、インターネット上のホームページを閲覧するための事前準備として、ユーザは、図１に示す携帯電話１、ＰＨＳ２、ＰＨＳカード３の各通信デバイスのドライバファイル、接続命令部６の制御プログラム、情報登録部７の制御プログラム等をモバイル端末機１５にインストールしておくことが必要である。そして、モバイル端末機１５を使用する際には、ユーザは、図１に示す携帯電話１、ＰＨＳ２、ＰＨＳカード３をそれぞれモバイル端末機１５に装着する必要がある。
【００２７】
なお、本実施例では、図１に示すように、モバイル端末機１５に、携帯電話１（１台）、ＰＨＳ２（１台）、ＰＨＳカード３（１枚）を接続してインターネット通信を実施する場合について説明をするが、これに限定されることなく、本発明に係る要旨を逸脱しない範囲内で、装着する通信デバイスの種類や台数（但し、２台以上の通信デバイスを用いる。）等を適宜変更することができる。
【００２８】
次に、上述の事前準備がされたことを前提として、まず、図２に示すように、ユーザが、モバイル端末機１５にインストールされた各通信デバイス（図１に示す携帯電話１、ＰＨＳ２、ＰＨＳカード３）のドライバファイルを起動させる（Ｓ１００）。これにより、ＨＤＤ１２に格納されている各通信デバイスのドライバファイルが、ユーザにより予め装着された各通信デバイスを使用可能状態とする（Ｓ１００）。
【００２９】
次に、ユーザは、モバイル端末機１５内のＨＤＤ１２に格納されている情報登録部７の制御プログラムを起動し、各通信デバイスを使用するために必要な情報をＫＥＹ操作部１２を用いて入力する（Ｓ１０１）。すると、ユーザによりＫＥＹ操作部１２から入力された通信デバイスを使用するために必要な情報は、図１に示す情報登録部７の働きにより、接続設定情報管理部８に登録される。この通信デバイスを使用するために必要な情報とは、上述したように、接続先（プロバイダ）電話番号、プロバイダに登録されているユーザ名、パスワード、再接続の自動実行の有無、接続時の既定ＵＲＬ、通信デバイスの最高通信速度、各通信デバイスの優先接続順位等である。そして、入力されたこれらの情報は、ＨＤＤ１２に格納される。
【００３０】
次に、ユーザは、接続命令部６の制御プログラムを起動する（Ｓ１０２）。すると、接続命令部６は、通信デバイスのドライバファイルに対して、装着された携帯電話１、ＰＨＳ２、ＰＨＳカード３の全ての通信デバイスを用いてモバイル端末機１５をインターネットに接続するための接続命令を行う（Ｓ１０３）。この接続命令を受けた各通信デバイスのドライバファイルは、ＫＥＹ操作部１４から入力され、ＨＤＤ１２に格納された上述の情報（接続先（プロバイダ）電話番号、プロバイダに登録されているユーザ名、パスワード、接続時の既定ＵＲＬ等）を基に、全ての通信デバイスを用いてモバイル端末機をインターネットに接続する（Ｓ１０４）。
【００３１】
このステップ１０４までのモバイル端末機１５の動作によって、全ての通信デバイスを用いてモバイル端末機１５がインターネットに接続される。この状態で、ユーザがインターネット上のホームページを閲覧する場合には、多量のコンテンツが盛り込まれたホームページを閲覧する場合であっても、複数の通信回線の利用により仮想的に回線容量が増えているので、通信時間の短縮化を図ることができ、モバイル端末機１５側の受信時間制限等による通信断絶を防止して、安定した通信を実現することができる。
【００３２】
また、複数の通信回線を利用してインターネット通信が実行されているので、そのうちのいずれかの通信回線において、通信状況が悪い場合や通信状況の悪化により回線が切断された場合でも、残りの通信回線を利用して通信を継続することが可能となる。また更には、以下に詳述するように、ユーザが通信を終了するまで、モバイル端末機１５は切断された通信回線に対して繰り返し再接続動作を実行するため、ユーザの通信途中で通信が切断されることを極力防止することが可能となる。
【００３３】
次に、通信デバイス制御監視部４は、各通信デバイスの通信状況を逐次監視する（Ｓ１０５）。ここで、仮に、通信デバイス制御監視部４が、受信状況の悪化等の理由により通信回線が切断された通信デバイスを確認した場合は、その通信状況に関する情報を負荷分散制御部５に送信すると共に、通信デバイスの接続優先順位を負荷分散制御部５へ問いあわせる（Ｓ１０６）。なお、通信状況の情報とは、具体的には、各通信デバイスが通信可能な状態であるか否かの情報、各通信デバイスが通信可能な状態である場合の各通信デバイスの通信速度、及び、各通信デバイスの受信電波の強度等である。
【００３４】
そして、問い合わせを受けた負荷分散制御部５は、通信デバイス制御監視部４から送信された通信状況に関する情報と、ユーザがＫＥＹ操作部１４を用いて入力した情報（再接続の自動実行の有無、通信デバイスの最高通信速度、各通信デバイスの優先接続順位等）とから、各通信デバイスの接続優先順位を判断し、通信デバイス監視制御部４へ、その判断結果を送信する（Ｓ１０７）。
【００３５】
ここで、接続するべき通信デバイスの優先順位の判断方法について、図３を用いて以下に具体的に説明する。図３は、本発明の一実施形態のモバイル端末機における、インターネットと未接続の通信デバイスを対象として、通信デバイスの接続優先順位を判断する方法を説明するためのフローチャートである。
【００３６】
まず、負荷分散制御部５は、接続情設定報管理部８を通じて取得したインターネットへの再接続の自動実行を設定している通信デバイスの情報（ユーザがＫＥＹ操作部１４により入力したもの）と、通信デバイス制御監視部４から送信された各通信デバイスの通信状況に関する情報とから、インターネットへの再接続の自動実行が設定されている通信デバイスであって、現在インターネットに接続されていない通信デバイスがあるか否かを判断する（Ｓ２０１）。そして、このような通信デバイスがなかった場合は、ステップ２０５に進み、引き続き、通信デバイス制御監視部４がインターネットに接続されている各通信デバイスの通信状況を監視する（Ｓ２０５）。
【００３７】
また、インターネットへの再接続の自動実行が設定されている通信デバイスであって、現在インターネットに接続されていない通信デバイスがある場合には、ステップ２０２に進む。ステップ２０２では、負荷分散制御部５は、接続情設定報管理部８を通じて取得したインターネットへの接続の優先順位が設定されている通信デバイスの情報（ユーザがＫＥＹ操作部１４により入力したもの）と、通信デバイス制御監視部４から送信された通信状況に関する情報とから、インターネットへの接続優先順位が設定されている通信デバイスであって、現在インターネットに接続されていない通信デバイスがあるか否かを判断する（Ｓ２０２）。そして、このような通信デバイスがあった場合は、設定された接続優先順位の情報に基づいて、インターネットへの接続優先順位を決定する（Ｓ２０６）。
【００３８】
また、インターネットへの接続優先順位が設定されている通信デバイスであって、現在インターネット接続されていない通信デバイスがなかった場合には、ステップ２０３に進む。ステップ２０３では、負荷分散制御部５は、接続情設定報管理部８を通じて取得した最高通信速度の情報を有している通信デバイスの情報（ユーザがＫＥＹ操作部１４により入力したもの）と、通信デバイス制御監視部４から送信された通信状況に関する情報とから、最高通信速度情報を有している通信デバイスであって、現在インターネット接続されていない通信デバイスがあるか否かを判断する（Ｓ２０３）。そして、このような通信デバイスがあった場合は、最高通信速度の速い通信デバイスの順に、接続優先順位を決定する（Ｓ２０７）。
【００３９】
また、最高通信速度情報を有している通信デバイスであって、現在インターネット接続されていない通信デバイスがない場合には、ステップ２０４に進む。ステップ２０４では、負荷分散制御部５は、通信デバイス制御監視部４から送信された通信状況に関する情報から、実際の通信速度が速い、インターネット未接続通信デバイスから接続優先順位を決定する（Ｓ２０４）。
【００４０】
続いて、負荷分散制御部５から、以上説明したような通信デバイスの接続優先順位の判断結果を受け取った通信デバイス監視制御部４は、この通信デバイスの接続優先順位に基づいて、優先順位の高い通信デバイスからインターネットに接続するように、接続命令部６へ接続命令を送信する（Ｓ１０８）。この接続命令を受けた接続命令部６は、通信デバイスのドライバファイルに対して（優先順位の高い通信デバイスのドライバファイルから順に）、インターネットに接続するように接続命令をする（Ｓ１０９）。そして、接続命令を受けた通信デバイスのドライバファイルは、通信デバイスに働きかけて、モバイル端末機１５をインターネットに接続する（Ｓ１１０）。そして、図１に示すＣＰＵ１１は、ユーザが通信を終了させるまで、ステップ１０５〜１１０を繰り返し行うよう制御をする。
【００４１】
なお、以上説明したモバイル端末機１５の通信動作の途中に、ユーザが通信を中止したい場合には、ユーザがＫＥＹ操作部１４により、意図的に通信切断命令を入力することにより、この通信切断命令を受けたＣＰＵ１１は、接続命令部６に通信の切断命令をし、この通信切断命令を受けた接続命令部６は、各通信デバイスのドライバファイルに対して通信切断命令を送信し、この通信切断命令を受けた各通信デバイスのドライバファイルが起動して、モバイル端末機１５をインターネットから切断する。
【図面の簡単な説明】
【００４２】
【図１】本発明の一実施形態のモバイル端末機の概略構成図である。
【図２】本発明の一実施形態のモバイル端末機の通信動作を説明するためのフローチャートである。
【図３】本発明の一実施形態のモバイル端末機における、インターネットと未接続の通信デバイスを対象として、通信デバイスの接続優先順位を判断する方法を説明するためのフローチャートである。
【符号の説明】
【００４３】
１    携帯電話
２    ＰＨＳ
３    ＰＨＳカード
４    通信デバイス制御監視部
５    負荷分散制御部
６    接続命令部
７    情報登録部
８    接続設定情報管理部
９    ダイヤルアップ回線制御部
１０    ＲＡＭ
１１    ＣＰＵ
１２    ＨＤＤ
１３    画面表示部
１４    ＫＥＹ操作部
１５    モバイル端末機
【図１】
2005295087.tif 000003
【図２】
2005295087.tif 000004
【図３】
2005295087.tif 000005